(57)【要約】【課題】この書見台は、重量が最大４，５ｋｇまでの本、カタログ、図版等に用いるものである。【解決手段】この書見台は左右の支え１と、ヨーク１５と、刻み付き頭ネジ９を備える軸３と、基底部１１とで構成されている。支持をするすべての部品は、鋼材の硬度をもつ高合金のクロムめっきアルミニウムで製作されている。本（カタログ、図表等）は左右の支えの中央に置く。本の傾斜姿勢は、（軸の両端部にある）刻み付き頭ネジを緩めてから、軸を基底部に対して相対的に前後へスライドさせることによって無段階で調整することができる。軸の下面には、軸がスライドしたときに作用する滑り抵抗を調節するための無頭ネジが、左右の滑り軸受の下に設けられている。ヨークはページを押さえる役目を果たす。下側の支え面と平行にヨークをスライドさせることで、本の厚さに合わせてヨークを調整することができる。ヨークを押し下げることによって、ページを素早くめくることが可能である。ヨークが弾性復帰すると再び元の位置に戻る。したがって、あらためて本の厚さに合わせて調整する必要はない。この書見台により、リラックスした身体姿勢で人間工学的な作業が可能となる。【選択図】図１
2004508154.tif 000002
【特許請求の範囲】
【請求項１】
旋回可能に配置された本支え（１）のための２つの支持アームを備える基底部（１１）と、旋回可能に支承されたページ押さえ（１５）とで構成された、カタログ、図版等のための書見台において、
前記基底部（１１）の支持アームがアーチ型に湾曲した端部を有しており、これらの端部には水平方向の軸（３）が摺動可能に配置されており、この軸が、Ｌ字型の断面で構成された本支え（１）を支持しており、前記ページ押さえ（１５）は前記軸で旋回可能に、かつ前記軸に対して半径方向へスライド可能に支承されていることを特徴とする書見台。
【請求項２】
前記軸（３）が滑り軸受（５）によって基底部（１１）の支持アームの端部に支承されており、滑り抵抗を調整するためにそれぞれ調節ネジ（１０）が設けられていることを特徴とする請求項１に記載の書見台。
【請求項３】
前記ページ押さえ（１５）が、前記軸に取り付けられた２つの滑りシェル（２，１７）でそれぞれ保持される２つの脚部を有しており、それぞれ下側の滑りセグメント（１７）は、初期荷重をかけられた弾性棒（１４）からばね作用うけてページ押さえ（１５）の脚部に押圧されることを特徴とする請求項１に記載の書見台。
【発明の詳細な説明】
【０００１】
【発明の属する技術分野】
本発明は、旋回可能に配置された本支え１のための２つの支持アームを備える基底部と、旋回可能に支承されたページ押さえとで構成された、カタログ、図版等のための書見台に関する。
【０００２】
【従来の技術】
事務机用や家庭用の人間工学的な書見台というものは存在しない。市販されているのは木製台、立見用の台、照明付き台、Ａ４版のページや書類を開いておく装置、分解できるプラスチック製ブックスタンド等である。
【０００３】
このように技術的に課される要求が低い設計では、本の傾斜姿勢を人間工学的に無段階に調整することもできなければ、その都度の本の厚さに合わせてページ押さえの奥行きを申し分なく調節することもできない。人間工学的に是認できるページめくり装置というようなものは、既製の台ではその片鱗さえ窺うことができない。
【０００４】
【発明が解決しようとする課題】
本発明の目的は、立っている人や座っている人のための人間工学的な書見台を提供することである。
【０００５】
【課題を解決するための手段】
本発明によればこの目的は、基底部１１の支持アームがアーチ型に湾曲した端部を有しており、これらの端部には水平方向の軸３が摺動可能に配置されており、この軸が、Ｌ字型の断面で構成された本支え１を支持しており、ヨーク（ページ押さえ）１５は前記軸で旋回可能に、かつ前記軸に対して半径方向へスライド可能に支承されていることによって達成される。
【０００６】
【発明の実施の形態】
図面を参照しながら本発明を詳しく説明する。
【０００７】
この書見台は、ポリアミド部品、ゴム部品、高合金アルミニウム部品、および鋼材部品でできている。支持をする部分（基底部、軸、本支え、ヨーク）は高合金アルミニウム、滑り軸受（ガイドパイプ、摺動片）はポリアミド、刻み付き頭ネジと押圧片は鋼材、緩衝材はゴムでそれぞれ製作されている。
【０００８】
側方の延長部によって両方の軸受シェル４に対して形状接合的に姿勢が規定されるガイドパイプ５は、これらの軸受シェル４とともに、押圧片８および止めリング６と一緒に半径方向で軸３に差し込まれている。押圧片８は、側方でガイドパイプに直接押し込まれている。この１つのグループが軸３の穴の中で、ピン１０を備える無頭ネジによって固定されており、この無頭ネジは、軸の下側に半径方向でねじ込まれ、止めリング６によって回転しないように止めてある（図２参照）。
【０００９】
それぞれ２つの摺動片２，１７が、同じく下側から半径方向で軸３の横溝に挿入されている。上側の摺動片２は軸に押し込まれているのに対して、下側の摺動片１７は、軸の長手溝に固定された弾性棒１４によって半径方向上側に向かって押圧されている。環状溝を備える止めボルト７によって（この止めボルトは水平方向で後側から軸に差し込まれている）、弾性棒１４は初期荷重をかけられて止められている。初期荷重をかけられた弾性棒は、逆に、環状溝へのスナップ嵌めによって軸方向へスライドしないように止めボルトを止めている（図６）。
【００１０】
左右の支え１は前側で半径方向に軸３へ差し込まれ、４つの無頭ネジ１３で軸に摩擦接合的に取り付けられている。それぞれの１枚のプレート１６が左右の支えに挟み込まれている。ヨーク１５は、前方から両方の端部で水平方向にそれぞれ２つの摺動片２，１７の嵌め合い部に挿入されている。軸の両方の端面には、刻み付き頭ネジ９がねじ込まれている。
【００１１】
基底部の４つの支え点では、下側からゴム緩衝材１２が基底部に押し込まれている。
【００１２】
本（ノート、カタログ、図版等）は、左右の支え１の上で中央に載せられる。初期荷重をかけられた弾性棒１４の力によって４つの摺動片２，１７を介して前側の短い支え面と平行に押圧されているヨーク１５は、本の厚さに応じて、軸３に対して横向きにのみスライドすることができる（図４のｆ１参照）。ヨーク１５を下に押すことによって、ページをめくることができる（図４のｆ２参照）。このとき、摺動片２，１７の幾何学構成に基づいて、弾性復帰が起こるとヨークが元の位置に戻ることが保証される。
【００１３】
初期荷重をかけられた弾性棒１４は、止めボルト７によって止められた状態で、一方では下側の摺動片１７をヨーク１５に向かって押圧するとともに、他方では、形状接合的な連結に基づいて下側の摺動片のスライドを防止する。両方の刻み付き頭ネジ９によって、支え１の設定された角度が固定される。ガイドパイプ５に押し込まれている鋼製の押圧片８は、刻み付き頭ネジによるガイドパイプの変形を防止する。両方の刻み付き頭ネジを緩めることによって、本の傾斜姿勢を無段階に調整することができる。
【００１４】
滑り軸受としての役目をする湾曲したポリアミド製ガイドパイプ５の特殊な設計は、本を持ったり本に触れることなく、重い本（最大４，５ｋｇ）の傾斜姿勢を無段階に調整することを可能にする。ピンを備える無頭ネジ１０は、一方では軸受シェル４をガイドパイプとともに軸の内部で止めており、また他方では、この無頭ネジを介して、支えの角度を調節するときに作用する摺動抵抗を変えることができる（図５参照）。
【００１５】
このとき、ピンを備える無頭ネジ１０から加えられた圧力は、下側の軸受シェル４を介してガイドパイプ５の長さ全体に分散され、このことはガイドパイプの均等な断面変化を引き起こす結果となる。
【００１６】
無段階に調整可能な約３０°から１００°の支えの角度は、読者が立っているときでも、リラックスして本を見ることを可能にする。
【図面の簡単な説明】
【図１】
本発明による書見台を示す斜視図である。
【図２】
書見台を示す分解図である。
【図３】
本支え１の傾斜姿勢の調整を示す図である。
【図４】
本の厚さに合わせたページ押さえ１５の調整（ｆ１）、およびページをめくるためのページ押さえの動き（ｆ２）を示す図である。
【図５】
本支え１をスライドさせたときに作用する滑り抵抗を変化させるための無頭ネジ１０である。
【図６】
弾性棒１４と止めボルト７とを備える軸３を示す破断図である。
【国際公開パンフレット】
2004508154.tif 000003
2004508154.tif 000004
2004508154.tif 000005
2004508154.tif 000006
2004508154.tif 000007
2004508154.tif 000008
2004508154.tif 000009
2004508154.tif 000010
2004508154.tif 000011
2004508154.tif 000012
2004508154.tif 000013
【国際調査報告】
2004508154.tif 000014
2004508154.tif 000015
2004508154.tif 000016
2004508154.tif 000017